(57)【要約】【課題】筐体の外壁に亀裂等が入っても集塵効率が低下しにくい掃除機本体および電機掃除機を提供する。【解決手段】掃除機本体３は、電動送風機と、電動送風機を収容し且つ電動送風機の吸引側に集塵空間４３を有する筐体１３とを備え、集塵空間４３に集塵パックが着脱自在に装着されるタイプの掃除機本体３であり、集塵空間４３は、筐体１３の外表面を構成する外壁（下壁と、上壁と、下壁の周縁と上壁の周縁とを連結する外周壁）以外の内壁（下壁と上壁とを連結する内周壁）４５により区画されている。【選択図】図７
2016059639.tif 000002
【特許請求の範囲】
【請求項１】
電動送風機と、前記送風機を収容し且つ前記電動送風機の吸引側に集塵空間を有する筐体とを備え、集塵パックが前記集塵空間に交換可能に収容される掃除機本体において、
前記集塵空間は、前記筐体の外表面を構成する外壁以外の内壁により区画されている
ことを特徴とする掃除機本体。
【請求項２】
前記筐体の外表面を構成する外壁は、下壁と、上壁と、前記下壁の周縁と上壁の周縁とを連結する外周壁であり、
前記外壁以外の内壁は、前記下壁と前記上壁とを連結する内周壁である
請求項１に記載の掃除機本体。
【請求項３】
前記内周壁は、前記外周壁と間隔をおいて設けられている
請求項２に記載の掃除機本体。
【請求項４】
前記内周壁は、下内周壁と上内周壁とから構成されている
請求項２又は３に記載の掃除機本体。
【請求項５】
前記筐体は、開口窓を上部に有する筐体本体と、前記開口窓を開閉自在に塞ぐ蓋体とを有し、
前記開口窓は、前記下壁と前記下内周壁とに囲まれた空間に連通している
請求項４に記載の掃除機本体。
【請求項６】
前記蓋体は、前記筐体の上壁の一部を構成する蓋体上壁と、前記蓋体上壁の下面から下方へ筒状に延伸する蓋体周壁とを有し、
前記上内周壁は、閉状態にある前記蓋体の前記蓋体周壁により構成されている
請求項５に記載の掃除機本体。
【請求項７】
前記筐体は、バンパ取付用の貫通孔を前記外周壁に複数個有している
請求項２〜６の何れか１項に記載の掃除機本体。
【請求項８】
前記筐体に取付けられる本体用取手を備え、
前記筐体は、前記集塵空間に連通し且つ前記電動送風機の吸引により塵埃を吸引する吸引口部と、前記外周壁であって前記吸引口部の周辺に設けられ且つ前記本体用取手を取り付けるための取付孔とを有し、
前記本体用取手の取付部分が、前記取付孔を挿通した状態で、前記下壁であって前記外周壁と前記内周壁との間に固定されている
請求項２〜７の何れか１項に記載の掃除機本体。
【請求項９】
掃除機本体と、吸込口体と、接続体とを備える電気掃除機において、
前記掃除機本体は、請求項１〜８の何れか１項に記載の掃除機本体である
電気掃除機。
【発明の詳細な説明】
【技術分野】
【０００１】
本発明は、掃除機本体および当該掃除機を備える電気掃除機に関する。
【背景技術】
【０００２】
一般的な電気掃除機は、掃除機本体と、掃除機本体の吸引口部に一端が接続されるホースと、ホースの他端に接続された接続管と、接続管に接続された吸込口体とを備える。
掃除機本体は、吸込口体の吸込口から塵埃を吸い込み且つ本体内へと吸引するための電動送風機と、吸引された塵埃を集塵する集塵パックが配される集塵空間とを筐体の内部に備えている。集塵空間は、吸引効率を高めるため、筐体の吸引口と電動送風機との間に通常設けられている（例えば、特許文献１、２）。
集塵パックは、通気性を有する紙布などで構成され、塵埃で一杯になったり、紙布の目が詰まったりすると、新しいものに交換される。なお、塵埃を集塵パック内に集塵する集塵方式をパック方式とする。
掃除機本体は、掃除の際に家具や壁に衝突して、筐体が破損するのを防止するために、筐体の外周面にバンパを備えている。
【先行技術文献】
【特許文献】
【０００３】
【特許文献１】特開２００３−１２５９９６号公報
【特許文献２】特開２００６−２０９５６号公報
【発明の概要】
【発明が解決しようとする課題】
【０００４】
しかしながら、上記のパック方式の掃除機本体では、外周面にバンパを備えているものの、何らかの原因で筐体の外表面を構成する外壁に亀裂等が入ると、集塵効率が著しく低下するという課題がある。
本発明は、筐体の外壁に亀裂等が入っても集塵効率が低下しにくい掃除機本体および電機掃除機を提供することを目的とする。
【課題を解決するための手段】
【０００５】
上記課題を解決するため、本発明の一実施形態に係る掃除機本体は、電動送風機と、前記送風機を収容し且つ前記電動送風機の吸引側に集塵空間を有する筐体とを備え、集塵パックが前記集塵空間に交換可能に収容される掃除機本体において、前記集塵空間は、前記筐体の外表面を構成する外壁以外の内壁により区画されている。
上記課題を解決するため、本発明の一実施形態に係る電気掃除機は、掃除機本体と、吸込口体と、接続体とを備える電気掃除機において、前記掃除機本体は、上記構成の掃除機本体である。
【発明の効果】
【０００６】
上記構成の掃除機本体および電気掃除機では、筐体の外壁に亀裂が入っても集塵効率は低下しない。
【図面の簡単な説明】
【０００７】
【図１】実施形態の電気掃除機の概略図。
【図２】掃除機本体の側面図。
【図３】掃除機本体の平面図。
【図４】掃除機本体の蓋体と蓋部を取り外した状態の平面図。
【図５】図３におけるＸ−Ｘ線断面を矢印方向から見た断面図。
【図６】蓋体の底面図。
【図７】掃除機本体の分解斜視図。
【発明を実施するための形態】
【０００８】
本発明の一態様に係る掃除機本体は、電動送風機と、前記送風機を収容し且つ前記電動送風機の吸引側に集塵空間を有する筐体とを備え、集塵パックが前記集塵空間に交換可能に収容される掃除機本体において、前記集塵空間は、前記筐体の外表面を構成する外壁以外の内壁により区画されている。
また、他の態様に係る掃除機本体は、前記筐体の外表面を構成する外壁は、下壁と、上壁と、前記下壁の周縁と上壁の周縁とを連結する外周壁であり、前記外壁以外の内壁は、前記下壁と前記上壁とを連結する内周壁である。この構成により、外周壁に亀裂が入った場合でも、集塵空間の密閉性は維持される。
また、他の態様に係る掃除機本体は、前記内周壁は、前記外周壁と間隔をおいて設けられている。この構成により、外周壁が壁や家具に衝突しても、内周壁に亀裂が入り難くできる。
【０００９】
また、他の態様に係る掃除機本体は、前記内周壁は、下内周壁と上内周壁とから構成されている。この構成により、集塵パックの交換が容易に行うことができる。
また、他の態様に係る掃除機本体は、前記筐体は、開口窓を上部に有する筐体本体と、前記開口窓を開閉自在に塞ぐ蓋体とを有し、前記開口窓は、前記下壁と前記下内周壁とに囲まれた空間に連通している。この構成により、下壁と下内周壁とに囲まれた空間に集塵パックを容易に配置することができる。
また、他の態様に係る掃除機本体は、前記蓋体は、前記筐体の上壁の一部を構成する蓋体上壁と、前記蓋体上壁の下面から下方へ筒状に延伸する蓋体周壁とを有し、前記上内周壁は、閉状態にある前記蓋体の前記蓋体周壁により構成されている。この構成により、内周壁を２分しても、蓋体によって閉状態にすると、集塵空間内の密閉性は保持される。
【００１０】
また、他の態様に係る掃除機本体は、前記筐体は、バンパ取付用の貫通孔を前記外周壁に複数個有している。この構成により、外周壁に貫通孔が存在しても、集塵空間内の密閉性は維持される。
また、他の態様に係る掃除機本体は、前記筐体に取付けられる本体用取手を備え、前記筐体は、前記集塵空間に連通し且つ前記電動送風機の吸引により塵埃を吸引する吸引口部と、前記外周壁であって前記吸引口部の周辺に設けられ且つ前記本体用取手を取り付けるための取付孔とを有し、前記本体用取手の取付部分が、前記取付孔を挿通した状態で、前記下壁であって前記外周壁と前記内周壁との間に固定されている。この構成により、外周壁に取付孔が存在しても、集塵空間内の密閉性は維持される。
本発明の一態様に係る電気掃除機は、掃除機本体と、吸込口体と、接続体とを備える電気掃除機において、前記掃除機本体は、上記構成の掃除機本体である。この構成により上記効果が得られる。
【００１１】
＜実施形態＞
次に実施形態について図１から図９を用いて説明する。
１．電気掃除機の概略
電気掃除機１は、図１に示すように、掃除機本体３、接続体５、吸込口体７を備える。接続体５は掃除機本体３と吸込口体７とを着脱自在に接続する。電気掃除機１は、フローリングやカーペット等の清掃面上の塵埃を吸込口体７から吸込み、接続体５を介して掃除機本体３内に吸引する。
ここで、塵埃が吸込口体７から掃除機本体３の内部まで吸引される流路を吸引路とする。吸引路において、吸込口体７が位置する「側」を「上流側」とし、掃除機本体３が位置する「側」を「下流側」とする。
【００１２】
掃除機本体３は、接続体５の下流側端部９が着脱自在に接続される接続部１１を筐体１３に備える接続体５は、接続管１５、ホース１７、取手１９を備えている。
接続管１５は接続体５における吸引路の上流側に位置する。ホース１７は可撓性を有する湾曲自在な筒体で構成され、接続体５における吸引路の下流側に位置する。接続管１５とホース１７とは、内部同士が連通する状態で、接続される。
取手１９は、接続管１５の管軸の延伸する方向に移動可能に設けられている。これにより、取手１９は、接続管１５の下流側端から延伸する延伸長さが調整可能となる。取手１９における接続管１５から延伸する先端部は、操作者が掃除する際に把持するハンドル部２１となっている。
【００１３】
取手１９は、掃除機本体３の駆動・停止を操作したり、吸込口体７に回転ブラシが設けられている場合は回転ブラシの回転・停止を操作したり、吸引力の強弱を選択したりするための操作部２３を備えている。取手１９は、接続管１５に対する位置（延伸長さ）調整を行うための位置調整操作部２５を備えている。
吸込口体７は、例えば、吸込部２７、ジョイント部２９、継手部３１を有し、継手部３１が接続管１５の上流側端部３３に着脱自在に接続される。
吸込部２７は、清掃面と対向する対向面（底面）に塵埃を吸込むための吸込口を有している。吸込口内には、例えば、回転ブラシが設けられている。なお、回転ブラシが設けられていなくてもよい。
ジョイント部２９および継手部３１は吸込口に連通する空間を内部に有している。ジョイント部２９は吸込部２７に対して回転自在に設けられ、継手部３１は、ジョイント部２９に対して起伏自在に設けられている。
【００１４】
２．掃除機本体
掃除機本体３は、上述のように、筐体１３に接続部１１を有する。
ここで、筐体１３において接続部１１がある側を前側とし、接続部１１と反対側を後側とする。また、清掃面と直交する方向を上下方向とし、清掃面に近い側を下側とし、清掃面から離れる側を上側とする。前後方向および上下方向に直交する方向を左右方向とする。
【００１５】
（１）内部
掃除機本体３は、筐体１３の内部の後側に電動送風機４１を有する。掃除機本体３は、筐体１３の内部の前側に集塵空間４３を有している。なお、筐体１３は、内部に集塵空間４３を有しているともいえる。また、集塵空間４３は、図４および図５において、集塵空間４３を構成する内壁４５や下壁８１と区別するために、引出線の先端を矢印としている。
集塵空間４３は電動送風機４１の吸引側（上流側でもある。）に設けられている。集塵空間４３は接続部１１と電動送風機４１との間に位置している。なお、接続部１１は、電動送風機４１の駆動により掃除機本体３内に吸込口体７から吸込んだ塵埃を吸引するための吸引口部として機能する。集塵空間４３には集塵パックが着脱自在（交換自在）に収容され、集塵パック内に塵埃が集塵される。集塵空間４３は、筐体１３の外表面を構成する外壁以外の内壁４５により筐体１３の内部で区画される。なお、内壁４５については後述する。
【００１６】
掃除機本体３は、筐体１３の内部において集塵空間４３と電動送風機４１とが存在していない領域（空間）に、コンセント４７を介して商用電源に接続されるコードを格納するコード収容手段４９が配されてもよい。この場合、例えば、コード収容手段４９として、筐体１３の上面に設けられた操作部５１を操作すると、コードを自動的に巻き上げるコードリールを利用することができる。また、コード収容手段の代わりに、使用者が手でコードを収容する場合に利用されるコード収容空間を備えてもよい。なお、充電式の電気掃除機の場合は、コード収容手段の代わりに、蓄電池と充電手段とを備えてもよい。
本実施形態では、筐体１３の内部の前部分に集塵空間４３が存在し、筐体１３の内部の後部分に電動送風機４１とコード収容手段４９とが左右方向に並んで配されている。なお、集塵空間、電動送風機、コード格納手段（コード収容空間、蓄電池等であってもよい）の位置関係は、集塵空間と電動送風機とが隣接していればよく、上記位置関係に限定するものではない。
【００１７】
（２）外部
掃除機本体３は、筐体１３の外周面（側面）にバンパ５３を備えている。バンパ５３は、掃除機本体３が壁や家具に衝突した際に、筐体１３が破損するのを防止するためのものである。
バンパ５３は、例えば、板状をし、筐体１３と接触する側の面（裏面）に弾性係止突起５５を有している。筐体１３は、バンパ５３の弾性係止突起５５に対応する部分に、バンパ取付用の貫通孔５７を有している（図７参照）。バンパ５３の取付けは、バンパ５３の弾性係止突起５５の先端部が筐体１３の貫通孔５７を通過する際に弾性変形し、通過後に先端部が筐体１３の裏側で貫通孔５７に係合することで行われる。なお、バンパ５３は、筐体１３における左右両側面に取り付けられているが、筐体１３の全周に取り付けられてもよい。
【００１８】
掃除機本体３は、本体を運ぶ際に利用される本体用取手５９を筐体１３に備えてもよい。本体用取手５９は、例えば、「Ｕ」字状をし、一対の延伸部６１ａ，６１ｂと、延伸部６１ａ，６１ｂの前端部分を連結する連結部６３とを有する。一対の延伸部６１ａ，６１ｂは、左右方向から見ると、中央から前端にかけて上方へと湾曲している。なお、使用者は、左右方向に延びる連結部６３を把持する。
本体用取手５９は、筐体１３の前部に取り付けられている。換言すると、本体用取手５９は、筐体１３の外周壁８５であって接続部１１の周辺に取り付けられる。
筐体１３は、一対の延伸部６１ａ，６１ｂが挿通するための２個の貫通孔６２と、取付状態での一対の延伸部６１ａ，６１ｂの後端部分（取付部分である。）に対応する部位にねじ穴を有している。なお、２個の貫通孔６２は、接続部１１の左右両側に設けられており、本体用取手５９を筐体１３に取り付けるための取付孔として機能する。
【００１９】
本体用取手５９の筐体１３への取付けは、一対の延伸部６１ａ，６１ｂの後端部を貫通孔６２から筐体１３の内部へと挿入し、後端部分（取付部分）が筐体１３の下壁８１にねじ部材６５で固定されることで行われる。
掃除機本体３は、筐体１３の後部の左右両側に大径の一対の車輪６７を回転自在に備えてもよい。なお、車輪６７は、掃除機本体３の移動を容易にするためのものである。掃除機本体３は掃除機本体３の進行方向を変えるための旋回輪６９を備えてもよい。この場合、旋回輪６９は、旋回自在且つ回転自在に、例えば筐体１３の底部の前側に設けることができる。
接続部１１は、筐体１３における外周壁８５の前部から前方に突出する突出部分７１の中空部７１ａに筒体７３が挿入された状態で、筒体７３が突出部分７１に固定されてなる。筒体７３の内部空間７３ａは、集塵空間４３の内部と連通している。
【００２０】
３．筐体
（１）構造
筐体１３は外表面を構成する外壁を有している。外壁は、例えば、下壁８１、上壁８３、外周壁８５を含む。外周壁８５は、筐体１３の前側に位置する前側壁８５ａ、筐体１３の後側に位置する後側壁８５ｂ、筐体１３の左右両側に位置する左側壁８５ｃおよび右側壁８５ｄからなる。
筐体１３は筐体本体８７と蓋体８９とを有する。筐体本体８７は上部に開口窓９１を有する。開口窓９１は、集塵パックを筐体１３内の集塵空間４３に配置したり、集塵パックを集塵空間４３から取り出したりする際に利用される。
【００２１】
開口窓９１は蓋体８９により開閉自在に塞がれる。換言すると、蓋体８９は、開口窓９１を開閉自在に筐体本体８７の上部に設けられている。具体的には、ここでは、開口窓９１は筐体本体８７の上部の前側部分に設けられており、蓋体８９の後端部が、開口窓９１の後側で左右方向に延びる回転軸９２（図７参照）により回転自在に支持されている。筐体本体８７は本体部９３と蓋部９５とを有している。本体部９３は筐体１３の下壁８１と外周壁８５を有する。蓋部９５は外周壁８５の上端に設けられている。蓋部９５は、開口窓９１に対応する開口９７を前部に有し、この開口９７が蓋体８９により覆われる。なお、蓋部９５の上面において、蓋体８９により覆われない後部分は筐体１３の上壁８３の後部分を構成し、蓋体８９は筐体１３の上壁８３の前部分を構成する。
【００２２】
本体部９３の前側壁８５ａには接続部１１用の突出部分７１が一体に形成されている。突出部分７１の内部には、筒体７３を挿入、固定するための内部空間７３ａが存在する。なお、前側壁８５ａは、接続部１１の内部と連通する貫通孔を有している。貫通孔は、筒状の接続部１１の横断面における内周形状に略一致している。筐体１３は、外周壁８５であって接続部１１の左右両側に本体用取手５９を筐体１３に取り付けるための貫通孔６２を有している（図２参照）。筐体１３は、外周壁８５の後部分に送風口１００を有している。送風口１００は、電動送風機４１からの送風を外部に送り出すための複数個の貫通孔１００ａからなる（図５参照）。
【００２３】
本体部９３の下壁（筐体１３の下壁８１でもある）の前部には、下方に突出する突部１０３を有している。突部１０３には、旋回輪６９が取り付けられる（図５参照）。なお、下壁８１における集塵空間４３に面する部分は、上方へと隆起している。
【００２４】
（２）集塵空間（内壁）
（２−１）全体
筐体１３は、内部に集塵空間４３を区画するための内壁４５を有している。内壁４５は、外壁以外の内壁である。ここでは、集塵空間４３は、下壁８１の前側部分と上壁８３の前側部分と内壁４５とで囲まれて構成されている。内壁４５は、筐体１３の内部を集塵空間４３とそれ以外の空間とに区画する区画壁でもある。内壁４５は、筒状をした内周壁である。以下、内周壁の符号も４５を用いる。内周壁４５の下端が下壁８１の前側部分と連結し、内周壁４５の上端が上壁の前側部分と連結している。なお、集塵空間４３は、内周壁４５の内側に形成される。
【００２５】
内周壁４５は外周壁８５に対して間隔をおいて設けられている。これにより、外周壁８５に、バンパ取付用の貫通孔５７や、本体取手用の貫通孔６２が存在していても、集塵空間４３の密閉性を保つことができる。内周壁４５は下内周壁１１１と上内周壁１１３とを有している。下内周壁１１１は下壁８１から上方へと筒状に延伸する。上内周壁１１３は上壁８３から下方へと筒状に延伸する。ここでは、下内周壁１１１と上内周壁１１３との境界部分を利用して、筐体本体８７の開口窓９１が構成されている。つまり、下内周壁１１１は筐体本体８７にあり、上内周壁１１３は蓋体８９にある。具体的には、下内周壁１１１は本体部９３に形成されており、上内周壁１１３は蓋体８９に形成されている。
【００２６】
下内周壁１１１と上内周壁１１３との境界部分は、掃除機本体３を前にして当該掃除機本体３を見た使用者にとって、奥側から手前側に移るに従って下降する状態に構成されている。換言すると、下内周壁１１１の高さは、奥側から手前側に移るに従って低くなっている。なお、奥側は、蓋体８９の後部側に相当する。この後部側は回転自在（蓋体８９の開閉自在）に支持されている側である。つまり、蓋体８９が開いた状態では開口窓９１の手前側の空間が奥側の空間よりも広く（大きく）なっている。
【００２７】
（２−２）下内周壁
平面視における下内周壁１１１の内側空間は、筐体本体８７の開口窓９１に連通している。ここでは、下内周壁１１１の上端縁の平面視形状（平面からみたときの形状）と、筐体本体８７の開口窓９１の開口縁（蓋部の開口）の平面視形状とが略一致している。平面視形状は、前側の辺が短く且つ後側の辺が長い台形状をしている。なお、正確には、平面視において下内周壁１１１の上端縁は蓋部９５の開口９７の開口縁より小さく、上端縁と開口縁との間には環状のパッキン１１５が配されている。
【００２８】
下内周壁１１１の前壁には、接続部１１の筒体７３の内部空間７３ａに対応して、貫通孔（この貫通孔は、吸引口ともいう。）９９が形成されている。なお、筒体７３の後端部は、外周壁８５を通過して、下内周壁１１１の吸引口９９付近にまで達している。
下内周壁１１１の内側には、集塵パックを固定するための固定手段１１７が設けられている（図４参照）。下内周壁１１１の後壁には、電動送風機４１の駆動により集塵空間４３内の空気を吸引するための吸引孔１０１が設けられ（図５参照）、下内周壁１１１の内側にフィルタを固定するためのフィルタ固定手段１１８が設けられている（図４参照）。
【００２９】
（２−３）上内周壁
蓋体８９は、蓋体上壁１２１と蓋体周壁１２２とを備えている。蓋体周壁１２２は、蓋体上壁１２１から下方へ筒状に延伸している。蓋体８９が閉状態（開口窓９１が蓋体８９により塞がれている状態）にある場合、上内周壁１１３は蓋体８９の蓋体周壁１２２により構成される。上内周壁１１３（蓋体周壁１２２）は、その底面視形状が下内周壁１１１の平面視形状と一致している。蓋体周壁１２２の下端は、蓋体８９が閉じた状態になる際に、パッキン１１５の上面に形成されている溝に嵌る。蓋体上壁１２１には、リブ１２３が立設されている。なお、リブ１２３は、機械特性を向上させるためのものである。
【００３０】
４．使用時
（１）電気掃除機１を利用して使用者が掃除している場合に、例えば、掃除機本体３を壁や家具に衝突させてしまうことがある。しかし、掃除機本体３は、集塵空間４３を外周壁８５と異なる内周壁４５により区画する構造を有している。このため、例えば、外周壁８５が衝突しても、内周壁４５は衝突の損傷を受けにくくなる。
したがって、衝突により外周壁８５に例えば亀裂が入ったとしても、集塵空間４３を構成している内周壁４５に亀裂が入ることは少なくなり、集塵空間４３の密閉性が低下するようなことはない。
集塵空間４３を構成する内周壁４５は、上記のように、外周壁８５の内側に形成されているため、壁や家具等との衝突を考慮する必要がなく、厚みを薄くできる。具体的には、内周壁４５は、外周壁８５の厚みの０．３倍以上〜０．８倍以下の厚みで成形することもできる。
【００３１】
（２）内周壁４５は、外周壁８５に対して間隔をおいて形成されている。このため外周壁８５が衝突した際に変形して内周壁４５と接触するようなことも少なくできる。つまり、外周壁８５が変形しても、内周壁４５が割れるようなことはあまり生じえない。
なお、外周壁８５と内周壁４５との間隔を、外周壁８５が変形して破損（亀裂）する際の変形量よりも大きくしておくと、外周壁が内周壁に接触する前に外周壁が破損して、外周壁が内周壁に触れるおそれがない。
【００３２】
（３）集塵空間４３は筐体１３の内部で内壁４５により区画されているため、電動送風機４１による吸引空間が集塵空間４３だけになり、筐体の内部全体を吸引空間とする電気掃除機よりも、吸引力を向上させることができる。
このため、同じ吸引力を有する電気掃除機であって内壁により区画されていない集塵空間を有する掃除機に比べて、小型を図ることができる。
（４）内周壁４５と外周壁８５とは、内周壁４５の周方向に間隔を置いて形成されている本体側リブ１２５により連結されている。これにより、筐体１３の剛性を向上させることができる。
【００３３】
＜変形例＞
以上、実施形態に係る電気掃除機１および掃除機本体３について説明したが、本発明は上記実施形態に限られるものではなく、例えば、以下のような変形例であってもよい。また、実施形態と変形例、変形例同士を組み合わせたものであってよい。
また、実施形態や変形例に記載していない例や、要旨を逸脱しない範囲の設計変更があっても本発明に含まれる。
【００３４】
１．電気掃除機
電気掃除機は、集塵パックを交換自在に集塵空間に収容するタイプであればよく、キャニスタ式であってもよいし、スタンド（スティックハンディ）式、ハンディ式、ショルダ式等であってもよい。
なお、集塵パックを集塵ケースに収容して、この集塵ケースを筐体内に収容する掃除機本体は、本発明に係る掃除機本体には含まれない。
電気掃除機は、電動送風機を利用したものをいい、商用電源にコードを介して接続されるコード有タイプでもよいし、充電器（蓄電池）を内蔵する、所謂、充電タイプでもよい。
【００３５】
２．集塵空間
集塵空間４３は、前後方向において吸引口部１１と電気送風機４１との間に位置していたが、これらは、吸引口部と集塵空間と電気送風機の吸引口とで連続した流路を構成できる位置関係にあればよい。例えば、吸引口部と集塵空間が前後方向に隣接し、集塵空間と電動送風機の吸引口とが左右方向に隣接してもよい。また、集塵空間と電気送風機の吸引口とをパイプ等で連結する構造であってもよい。
【００３６】
３．内壁
内壁４５は、下壁８１と上壁８３とを、その内側に集塵空間が形成されるように連結する内周壁により構成されている。内壁は、例えば、下壁と上壁との間に水平に配された中間壁と、中間壁と下壁とを連結する内周壁とで構成してもよい。あるいは、内壁は、上記の中間壁と、中間壁と上壁とを連結する内周壁とで構成してもよい。このように中間壁を利用する場合、例えば、掃除機本体がスタンド式において、中間壁と上壁との間や中間壁と下壁との間に電動送風機を収容するようにしてもよい。
内壁は、内周壁以外に、例えば、内下壁や内上壁の少なくとも一方をさらに含んでもよい。内下壁と内上壁の少なくとも一方を備えることで、外壁の下壁や上壁に亀裂が入った場合でも、集塵空間の密閉性が悪くなるようなことを防ぐことができる。
【符号の説明】
【００３７】
１    電気掃除機
３    掃除機本体
５    接続体
７    吸込口体
１３    筐体
４３    集塵空間
４５    内壁
８１    下壁
８３    上壁
８５    外周壁
１０７    内周壁
１１１    上内周壁
【図１】
2016059639.tif 000003
【図２】
2016059639.tif 000004
【図３】
2016059639.tif 000005
【図４】
2016059639.tif 000006
【図５】
2016059639.tif 000007
【図６】
2016059639.tif 000008
【図７】
2016059639.tif 000009